(57)【要約】      （修正有）【課題】消費者の動作や力量に負担を掛けずに片手で摘み易いスプーン型包装用容器を提供すること。【解決手段】食品を載置する底面部１１と、この底面部の周縁から外側上方に拡開している側壁部１２とを有する食品収納部１と、この側壁部と面一に成型された板状の摘み部２とを備え、この摘み部の先端部２１側は、表面が上向きに傾斜していてもよい。摘み部２の側壁部１２側は、この摘み部の先端部２１側より幅が狭い幅狭部２２を有していてもよい。【選択図】図１
2018000647.tif 000002
【特許請求の範囲】
【請求項１】
食品を載置する底面部と、当該底面部の周縁から外側上方に拡開している側壁部とを有する食品収納部と、
前記側壁部と面一に成型された板状の摘み部とを備え、
前記摘み部の先端部側は、表面が上向きに傾斜している
ことを特徴とするスプーン型包装用容器。
【請求項２】
前記摘み部の前記側壁部側は、当該摘み部の前記先端部側より幅が狭い幅狭部を有する
ことを特徴とする請求項１に記載のスプーン型包装用容器。
【請求項３】
前記摘み部の前記先端部は、当該摘み部の他の部分より厚い
ことを特徴とする請求項１又は２に記載のスプーン型包装用容器。
【請求項４】
前記摘み部の前記先端部には、凹部が設けてあり、
前記摘み部同士が重なった状態で、一方の摘み部の一部が他方の凹部に入り込む
ことを特徴とする請求項１乃至３のいずれか一項に記載のスプーン型包装用容器。
【請求項５】
前記摘み部の裏面から前記側壁部の裏面に渡ってリブ部が設けてある
ことを特徴とする請求項１乃至４のいずれか一項に記載のスプーン型包装用容器。
【請求項６】
前記食品収納部及び前記摘み部は、
ポリプロピレン樹脂５０〜８０質量％と、無機フィラー２０〜５０質量％とを含む樹脂組成物からなる
ことを特徴とする請求項１乃至５のいずれか一項に記載のスプーン型包装用容器。
【発明の詳細な説明】
【技術分野】
【０００１】
本発明は、例えば、食品の試食、味見、薬味入れ等に用いるスプーン型包装用容器に関するものである。
【背景技術】
【０００２】
従来から、例えば、スーパーやデパートの食品売り場における食品の試食には、小さい容器とスプーンや爪楊枝が用いられていた。すなわち、容器内に盛り付けられた食品にスプーンを備え付けたり、爪楊枝を刺したりして食品を手間無く食べられるよう工夫していた。
【０００３】
一方、来店者の状態によっては、試食が難しいこともあった。例えば、買い物かごを持った状態、乳幼児を抱えた状態、又は杖を付いた状態の来店者にとって、一方の手で容器を持ち上げ、もう一方の手でスプーンや爪楊枝を扱う動作は負担が掛かるため、試食の機会を失うこともあった。
【０００４】
そこで、一口大の容器本体に摘み部を設けた発想（例えば、特許文献１。）が提案されている。詳細には、摘み部のうち、指で摘む平らな部分が、容器本体に対して上下方向に扁平に形成されており、消費者は片手で試食できるというものである。
【先行技術文献】
【特許文献】
【０００５】
【特許文献１】実用新案登録第３１８４９１６号公報
【発明の概要】
【発明が解決しようとする課題】
【０００６】
しかしながら、上述した従来技術における発想では、試食をする消費者の通常の動作に鑑みた場合、摘み難い向きに摘み部が設けられている。通常、食品入りの試食用のトレーは、複数個配列される。すなわち、従来技術における試食容器を台やトレーの上に配列した場合、摘み部は消費者から見て横を向いている（摘み部が消費者から見て容器本体より奥側だとさらに摘み難く、手前側だと食品自体が見え難いからである）。そのため、消費者が摘み部を摘む場合、指が摘み部の向き（上下方向）に合うよう、手首を捻ったり回したりしなければならない。
【０００７】
また、消費者が摘み部を摘む力を緩めると、持ち上げた容器本体から食品が落下する恐れもある。すなわち、容器本体は重力により落下しようとするため、消費者が力加減を誤ると、食品を含む容器本体の重さとのバランスが崩れるため、容器本体が摘み部を中心に回転してしまう。
【０００８】
そして、発明者等は創意工夫の末、消費者の通常の動作に鑑みた持ちやすさに加え、上述した食品の落下を回避する摘み構造にたどり着いた。すなわち、片手でも簡単かつ安全に盛り付けられた食品を摂取できる摘み部を有する包装用容器を開発した。さらに、消費者が盛り付けられた食品についての理解を深め、食品の摂取に役立つ情報を簡単に提供できる構造も発見した。
【０００９】
そこで、本発明の第一の目的は、消費者の動作や力量に負担を掛けずに片手で摘み易いスプーン型包装用容器を提供することにある。また、本発明の第二の目的は、盛り付けた食品に関する情報について消費者が把握し易いスプーン型包装用容器を提供することにある。
【課題を解決するための手段】
【００１０】
上記課題を解決するために、本発明によるスプーン型包装用容器は、食品を載置する底面部と、上記底面部の周縁から外側上方に拡開している側壁部とを有する食品収納部と、上記側壁部と面一に成型された板状の摘み部とを備え、上記摘み部の先端部側は、表面が上向きに傾斜していることを特徴とする。
【００１１】
上記摘み部の上記側壁部側は、上記摘み部の上記先端部側より幅が狭い幅狭部を有することが望ましい。
【００１２】
上記摘み部の上記先端部は、上記摘み部の他の部分より厚いことが望ましい。
【００１３】
上記摘み部の上記先端部には、凹部が設けてあり、上記摘み部同士が重なった状態で、一方の摘み部の一部が他方の凹部に入り込むことが望ましい。
【００１４】
上記摘み部の裏面から上記側壁部の裏面に渡ってリブ部が設けてあることが望ましい。
【００１５】
上記食品収納部及び上記摘み部は、ポリプロピレン樹脂５０〜８０質量％と、無機フィラー２０〜５０質量％とを含む樹脂組成物からなることが望ましい。
【００１６】
ここで、「スプーン型包装用容器」の用途は、例えば、試食用、味見用、薬味盛り付け用、又は包装用容器内の小包装用が該当する。「表面が上向きに傾斜している」とは、水平面に対する表面の傾斜角が０°以上９０°以下であることを意味する。「摘み部の他の部分」とは、摘み部の先端部より側壁部側全てが該当する。摘み部の先端部が「他の部分より厚い」とは、摘み部の先端部のうち上下方向に最も突出した部分を基準に測定した厚みが、他の部分の厚みより厚いことを意味する。摘み部同士が「重なった状態」とは、上下に積み重なった状態や横向きに重ね合わさった状態が該当する。
【発明の効果】
【００１７】
本発明によるスプーン型包装用容器は、底面部を有する食品収納部の側壁部に対して面一に成型された板状の摘み部を備え、摘み部の表面のうち先端部側が上向きに傾斜していることにより、例えば、消費者は上から親指、下から人差し指で摘み部を摘みやすい。すなわち、摘み部の表面の向きに応じて手首を捻ったり肘を張ったりすることもなく、消費者の指、手、及び腕に対して負担がかからない自然な動作でスプーン型包装用容器を持ち上げることができる。したがって、持ち上げ中に食品が漏れたり落下したりし難く、消費者に対して安心感も与えることができる。
【００１８】
また、摘み部の側壁部側が先端部側より幅が狭い幅狭部を有することにより、消費者は幅狭部に指を引っ掛けやすい。例えば、上から親指を宛がい、下から人差し指及び中指を幅狭部に引っ掛ければ、消費者は３つの支点で摘み部を摘むことができる。したがって、力の弱い幼児や高齢者、身体に障害を有する者でも、スプーン型包装用容器を容易に持ち上げることができる。
【００１９】
また、摘み部の先端部が他の部分より厚いことにより、消費者は先端部に指を引っ掛けることができる。例えば、下から人差し指や中指を先端部に引っ掛ければ、滑り難く安定して摘み部を摘むことができる。したがって、食品を摂取する際にスプーン型包装用容器を容易に傾けることもできる。
【００２０】
また、摘み部同士が積み重なった状態で、一方の摘み部の先端部に設けられた凹部に他方の摘み部の一部が入り込むことで、複数のスプーン型包装用容器の持ち運びや搬送がし易くなる。例えば、上側の摘み部の一部が下側の摘み部の凹部に重なることで、上側のスプーン型包装用容器が前後左右に位置ずれするのを予防することができる。したがって、一度に複数のスプーン型包装用容器を安全かつ効率的に移動させることができる。
【００２１】
また、摘み部の裏面から側壁部の裏面に渡ってリブ部が設けてあることで、上から加わる摘み部への負荷に対する補強効果が期待できる。すなわち、板状であったり幅狭部を設けたりするため、摘み部と側壁部との境界部分の脆弱性が危惧される。したがって、リブ部が摘み部と側壁部との境界部分への加圧対策となり、折れ曲がりや断裂を予防することができる。
【００２２】
また、食品収納部及び摘み部の素材が、ポリプロピレン樹脂５０〜８０質量％と、無機フィラー２０〜８０質量％とを含む樹脂組成物であることにより、原料コストの抑制及び軽量化が期待できる。
【図面の簡単な説明】
【００２３】
【図１】スプーン型包装用容器の斜視図である。
【図２】スプーン型包装用容器の平面図である。
【図３】スプーン型包装用容器の正面図である。
【図４】スプーン型包装用容器の背面図である。
【図５】スプーン型包装用容器の底面図である。
【図６】スプーン型包装用容器の右側面図である。
【図７】スプーン型包装用容器の部分拡大端面図である。
【図８】スプーン型包装用容器の寸法に関する図である。
【図９】スプーン型包装用容器の使用状態を示す図である。
【図１０】スプーン型包装用容器の別の使用状態を示す図である。
【図１１】スプーン型包装用容器の別の使用状態を示す図である。
【発明を実施するための形態】
【００２４】
以下、図１を参照しつつ、本発明の一実施形態におけるスプーン型包装用容器を説明する。
【００２５】
本発明の一実施形態におけるスプーン型包装用容器は、食品を載置する底面部１１と、この底面部の周縁から外側上方に拡開している側壁部１２とを有する食品収納部１と、この側壁部と面一に成型された板状の摘み部２とを備え、この摘み部の先端部２１側は、表面が上向きに傾斜していてもよい。
【００２６】
摘み部２の側壁部１２側は、この摘み部の先端部２１側より幅が狭い幅狭部２２を有していてもよい。
【００２７】
摘み部２の先端部２１は、この摘み部の他の部分より厚くてもよい。
【００２８】
摘み部２の先端部２１には、凹部２１ａが設けてあり、この摘み部同士が重なった状態で、一方の摘み部の一部が他方の凹部に入り込んでもよい。
【００２９】
摘み部２の裏面から側壁部１２の裏面に渡ってリブ部（図示しない）が設けてあってもよい。
【００３０】
次に、図２〜図７を参照しつつ、本発明の一実施形態におけるスプーン型包装用容器の構造について詳細に説明する。図７は、図６に示すＡ−Ａ部分における図３に示すＢ−Ｂ端面を拡大したものである。
【００３１】
図２に示すとおり、本実施形態におけるスプーン型包装用容器は、食品を収納する食品収納部１と、この食品収納部と一体的に射出成型された摘み部２とを有していてもよい。スプーン型包装用容器の向きは、食品収納部１の先端側（摘む部２と反対側）を前方、摘み部２側を後方としてもよい。スプーン型包装用容器の構造は、消費者の利き手（右利き又は左利き）によらず左右対称であってもよい。
なお、スプーン型包装用容器を試食用や味見用とする場合、食品の消費者が食品収納部１に口をつける通常の向きを前方としてもよく、例えば、食品収納部１の先端側と摘み部２側との中間部分を前方としてもよい。スプーン型包装用容器のサイズに限定はなく、例えば、一口サイズや大口サイズでもよい。
【００３２】
食品収納部１は、食品が盛り付けられる平坦状の底面部１１と、この底面部の周縁から外側に傾斜している側壁部１２とを有していてもよい。食品収納部１の外形は、全体的に緩やかな曲線で輪郭が形成された平面視略卵型で、摘み部２側の一部に直線状の部分を含んでいてもよい。
なお、食品収納部１に収納される食品に限定はなく、例えば、精肉類、野菜類、加工食品類、スープ類、米類、麺類、野菜類、又は惣菜類でもよい。
【００３３】
底面部１１の外形は、全体的に緩やかな曲線で輪郭が形成された平面視略卵型で、摘み部２側の一部に直線状の部分を含んでいてもよい。
なお、底面部１１の外形は、円形、楕円形、又は矩形でもよい。底面部１１は、平坦な包装用容器や台等の上に載置した際に安定性を有するものであればいずれでもよく、例えば、表面や裏面にリブ部や凹凸部が設けてあってもよい。
【００３４】
食品収納部１の先端側を前方とした場合、側壁部１２は、前方に傾斜して立ち上がった曲面状の前側壁部１２ａと、この前側壁部の反対側に位置し後方に傾斜して立ち上がった平面状の後側壁部１２ｂと、この前側壁部及び後側壁部と連接し側方に傾斜して立ち上がった右側壁部１２ｃ及び左側壁部１２ｄとを有していてもよい。右側壁部１２ｃ及び左側壁部１２ｄは、前側壁部１２ａ側と後側壁部１２ｂ側とで形状が異なっていてもよく、この前側壁部側に位置する曲面右側壁部１２ｃａ及び曲面左側壁部１２ｄａ、この後側壁部側に位置する平面右側壁部１２ｃｂ及び平面左側壁部１２ｄｂとを有していてもよい。後側壁部１２ｂと平面右側壁部１２ｃｂと平面左側壁部１２ｄｂとで食品収納部１の後方部分が略三角形状になるため、強度の向上や良好な摘み具合が期待できる。
なお、前側壁部１２ａの形状に限定はなく、例えば、フォーク機能を備えた形状でもよい。
【００３５】
摘み部２は、後側壁部１２と面一、かつこの後側壁部並びに平面右側壁部１２ｃｂ及び平面左側壁部１２ｄｂの一部と一体的に射出成型されていてもよい。摘み部２の先端部２１側の表面は、後側壁部１２と同角度で傾斜していてもよい。後側壁部１２より鈍角で傾斜していると摘み部２が折れやすく、鋭角で傾斜していると摘みにくい恐れを回避する効果が期待できるからである。摘み部２の後側壁部１２側は、この摘み部の先端部２１側より幅が狭い幅狭部２２を有してもよく、この先端部側は、幅広部２３を有していてもよい。
なお、摘み部２の形状は、平面状に限らず、曲面状でもよい。摘み部の所定の箇所には、軽量化のためのスリット加工が施されていてもよい。
【００３６】
先端部２１は、摘み部２の他の部分（幅狭部２２や幅広部２３）より厚みがあってもよく、例えば、射出成型時にこの先端部に他の部分より多めの原料（樹脂）が注入されることで厚みが増してもよい。先端部２１には、摘み部２の縦断面視Ｖ字状の凹部２１ａが設けてあってもよい。摘み部２同士が重なった状態で、上側の先端部の角部２１ｂが下側の先端部の凹部２１ａに入り込んでもよい。原料の節約効果や積み重ね時のずれ防止効果が期待できるからである。
【００３７】
幅狭部２２は、両辺の下側が平面右側壁部１２ｃｂ及び平面左側壁部１２ｄｂの上端と連接して直線状又は湾曲状に形成されていてもよい。
【００３８】
幅広部２３は、円弧の下側が幅狭部２２の両辺の上端と連接して円形状に形成されていてもよい。幅広部２３の内側は、外側より高さが低くなっていてもよい。食品の表示ラベル等の剥がれ抑制効果や、摘んだときの滑り止め効果が期待できるからである。
なお、食品の表示ラベルの情報としては、例えば、食品の名前、価格、原料、又は成分が記載してあってもよい。
【００３９】
摘み部２の裏側には、先端部２１の下端付近から、幅広部２３、幅狭部２２、及び後側壁部１２ｂの裏面の一部に渡ってリブ部２４が設けてあってもよい。リブ部２４は、摘み部２の曲がりや折れの防止効果が期待できる環状で、先端部２１側及び後側壁部１２ｂ側が円弧状、この円弧状以外の部分が直線状でもよい。
【００４０】
ここで、図８を参照しつつ、本実施形態におけるスプーン型包装用容器に関する寸法を説明し、随時寸法に伴う効果を補足する。
なお、各部の符号は、図１〜図７と同等のため、記載を省略する。
【００４１】
食品収納部１の全長Ｓ１と摘み部２の全長Ｔ１との比率は、２：１〜４：１でもよい。収納する食品の量によらず、後側に倒れにくく安定して台や机等に載置することが期待できるからである。
【００４２】
食品収納部１の寸法は、全長Ｓ１が２０〜８０ｍｍ、幅Ｓ２が１５〜６０ｍｍでもよい。底面部１１の寸法は、全長Ｓ３が５〜５０ｍｍ、幅Ｓ４が５〜３５ｍｍでもよい。側壁部１２の高さＳ５は、４〜２０ｍｍでもよい。底面部１１と前側壁部１２ａとの境界部分の曲率半径ＳＴ１は、５〜４０ｍｍでもよい。底面部１１と曲面右側壁部１２ｃａ及び曲面左側壁部１２ｄａとの境界部分の曲率半径ＳＴ２は、１〜２８ｍｍでもよい。底面部１１と右側壁部１２ｃ及び左側壁部１２ｄとの境界部分の曲率半径ＳＴ３は、１〜１６ｍｍでもよい。曲面右側壁部１２ｃａ及び曲面左側壁部１２ｄａと平面右側壁部１２ｃｂ及び平面左側壁部１２ｄｂとの境界部分の曲率半径ＳＴ４は、１０〜３５ｍｍでもよい。平面右側壁部１２ｃｂ及び平面左側壁部１２ｄｂと後側壁部１２ｂとの境界部分の曲率半径ＳＴ５は、２〜１０ｍｍでもよい。底面部１１に対する後側壁部１２ｂの傾斜角Ｄ１は、２０〜９０°でもよい。
【００４３】
摘み部２の全長Ｔ１と底面部１１の全長Ｓ３との比率は、１．５：１〜３：１でもよい。収納する食品の量によらず、後側に倒れにくく安定して台や机等に載置することが期待できるからである。先端部２１の厚みＴ２は、１〜５ｍｍでもよい。先端部２１の厚みＴ２と他の部分の厚みＴ３との比率は、１．５：１〜４：１でもよい。幅狭部２２の両辺と平面右側壁部１２ｃｂ及び平面左側壁部１２ｄｂの上端との境界部分の曲率半径ＳＴ６は、３〜２０ｍｍでもよい。幅狭部２２の寸法は、全長Ｔ４が５〜１０ｍｍ、幅Ｔ５が５〜２５ｍｍでもよい。幅広部２３の直径Ｔ６は、１０〜４０ｍｍでもよい。幅狭部２２の幅Ｔ５と幅広部２３の直径Ｔ６との比率は、１：１．５〜１：５でもよい。摘みやすさの向上が期待できるからである。リブ部２４の寸法は、厚みＴ７が０．１〜２．０ｍｍ、幅Ｔ８が０．８〜３．０ｍｍでもよい。
【００４４】
次に、図９〜図１１を参照しつつ、本発明の一実施形態におけるスプーン型包装用容器の使用状態について説明する。図９及び図１０は、食品収納部内に食品が盛り付けられたスプーン型包装容器が台の上に置かれた状態、図１１は、食品収納部内に食品が盛り付けられたスプーン型包装容器が別の食品の包装用容器内に置かれた状態を示す。
なお、消費者の手や食品は想像線（二点鎖線）で示している。
【００４５】
図９に示すとおり、消費者は、図示するスプーン型包装容器のうち、表面が上向きに傾斜している摘み部２の幅広部２３を親指と人差し指とで摘んでもよい。このとき、消費者の人差し指を、先端部２１の裏側から突出した角部（図示しない）に引っ掛けてもよい。また、図１０に示すとおり、消費者は、図示するスプーン型包装容器のうち、表面が上向きに傾斜している摘み部２の幅広部２３の表側に親指を宛がい、幅狭部２２に裏側から人差し指と中指とを引っ掛けてもよい。そして、消費者は、スプーンの前方向又は横方向から食品Ｆを摂取してもよい。使用後、スプーン型包装容器は、廃棄、又は回収して再利用若しくは資源リサイクルされてもよい。
【００４６】
さらに、図１１に示すとおり、例えば、刺身が盛り付けられたトレー内に、食品Ｆとして薬味等が盛り付けられたスプーン型包装容器を入れてもよい。一般的に、薬味等は取り難いため、摘み部を摘んでスプーン型包装用容器ごと取り出せれば、消費者にとっては薬味を取る手間が軽減する。このとき、薬味の種類等を記載したラベルが摘み部の幅広部に貼り付けてあってもよい。
【００４７】
このように、本実施形態におけるスプーン型包装用容器は、底面部１１を有する食品収納部１の後側壁部１２ｄに対して面一かつ、この後側壁部、平面右側壁部１２ｃｂ、及び平面左側壁部１２ｄｂと一体的に成型された板状の摘み部２を備え、この摘み部の表面のうち先端部２１側が上向きに傾斜していることにより、例えば、消費者は上から親指、下から人差し指でこの摘み部を摘みやすい。すなわち、摘み部２の表面の向きに応じて肘を張ったり手首を捻ったりすることもなく、消費者の指、手、及び腕に負担がかからない自然な動作でスプーン型包装用容器を持ち上げることができる。したがって、持ち上げ中に食品Ｆが漏れたり落下したりし難く、消費者に対して安心感も与えることができる。
【００４８】
また、摘み部２の側壁部１２側が先端部２１側より幅が狭い幅狭部２２を有することにより、消費者はこの幅狭部に指を引っ掛けやすい。例えば、上から親指を宛がい、下から人差し指及び中指を幅狭部２２に引っ掛ければ、消費者は３つの支点でこの摘み部を摘むことができる。したがって、力の弱い幼児や高齢者、身体に障害を有する者でも、スプーン型包装用容器を容易に持ち上げることができる。
【００４９】
また、摘み部２２の先端部２１が他の部分より厚いことにより、消費者は先端部に指を引っ掛けやすい。例えば、下から人差し指や中指を先端部２１の角部２１ｂに引っ掛ければ、滑り難く安定して摘み部を摘むことができる。したがって、食品Ｆを摂取する際にスプーン型包装用容器を容易に傾けることもできる。
【００５０】
また、摘み部２同士が積み重なった状態で、一方の摘み部２の先端部２１に設けられた凹部２１ａに他の摘み部２の一部が入り込むことで、複数のスプーン型包装用容器の持ち運びや搬送がし易くなる。すなわち、一方の摘み部２の一部が他の摘み部２の凹部２１ａに重なることで、スプーン型包装用容器が前後左右に位置ずれするのを予防することができる。したがって、一回で複数のスプーン型包装用容器を安全かつ効率的に移動させることができる。
【００５１】
摘み部２の裏面から側壁部１２の裏面に渡ってリブ部２４が設けてあることで、上から加わるこの摘み部への負荷に対する補強効果が期待できる。すなわち、板状であったり幅狭部２２を設けたりするため、摘み部２と側壁部１２との境界部分の脆弱性が危惧される。したがって、リブ部２４が摘み部２と側壁部１２との境界部分への加圧対策となり、折れ曲がりや断裂を予防することができる。
【００５２】
また、食品収納部１及び摘み部２の素材が、ポリプロピレン樹脂５０〜８０質量％と、無機フィラー２０〜５０質量％とを含む樹脂組成物であることにより、原料コストが抑制及び軽量化が期待できる。
ここで、ポリプロピレン樹脂は５５〜７５質量％でもよく、無機フィラーは２５〜４５質量％でもよく、ポリプロピレン樹脂は６０〜７０質量％でもよく、無機フィラーは３０〜４０質量％でもよい。
【００５３】
なお、本実施形態におけるスプーン型包装用容器は、例えば、射出成形にて形成されてもよい。射出成形としては、例えば、型締め、射出、保圧、冷却、型開き、及び製品の取り出し工程を有していてもよい。成型時には、摘み部の先端部側が熱可塑性樹脂の注入側に該当してもよい。
また、真空成形、圧空成形、真空圧空成形、両面真空成形、熱板成形等のシート成形で、合成樹脂シートを熱成形することにより形成されてもよい。合成樹脂シートとしては、例えばポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば発泡樹脂を使用すれば、軽量かつ断熱性があり好ましい。さらに、シートの表面または裏面を合成樹脂フィルムで覆ってもよく、表面を覆った場合は印刷を施してもよい。合成樹脂シートの厚みは特に制限はないが、０．１５ｍｍ〜０．５ｍｍであればよく、好ましくは０．１８ｍｍ〜０．４５ｍｍ、より好ましくは０．２ｍｍ〜０．３５ｍｍである。
【産業上の利用可能性】
【００５４】
本発明におけるスプーン型包装用容器は、小売や飲食に限らず、例えば、医療、介護、又は乳幼児用玩具等に関する産業に広く利用可能である。
【符号の説明】
【００５５】
１        食品収納部
１１      底面部
１２      側壁部
１２ａ    前側壁部
１２ｂ    後側壁部
１２ｃ    右側壁部
１２ｃａ  曲面右側壁部
１２ｃｂ  平面右側壁部
１２ｄ    左側壁部
１２ｄａ  曲面右側壁部
１２ｃｂ  平面左側壁部
２        摘み部
２１      先端部
２１ａ    凹部
２１ｂ    角部
２２      幅狭部
２３      幅広部
２４      リブ部
【図１】
2018000647.tif 000003
【図２】
2018000647.tif 000004
【図３】
2018000647.tif 000005
【図４】
2018000647.tif 000006
【図５】
2018000647.tif 000007
【図６】
2018000647.tif 000008
【図７】
2018000647.tif 000009
【図８】
2018000647.tif 000010
【図９】
2018000647.tif 000011
【図１０】
2018000647.tif 000012
【図１１】
2018000647.tif 000013